(57)【特許請求の範囲】
【請求項１】
ハウジング（２）の軸孔内周に金属嵌合される第一の取付環（４）と、前記第一の取付環（４）に取り付けられて軸（３）の周面に摺動自在に密接するオイルシール（５）と、前記第一の取付環（４）に取り付けられて前記ハウジング（２）の内周端面部（２ｂ）に突き当てられて密接するシール用突起（６）と、前記第一の取付環（４）に金属嵌合された第二の取付環（７）と、前記第一および第二の取付環（４）（７）間に保持されて前記軸（３）の周面に摺動自在に密接するスリッパシール（９）とを一体に組み合わせてなり、
前記第一の取付環（４）は、外周筒状部（４ａ）と、前記外周筒状部（４ａ）の前端部に径方向内方へ向けて一体成形された平面部（４ｂ）と、前記平面部（４ｂ）の内周縁部に前端側へ向けて一体成形された内周筒状部（４ｃ）と、前記内周筒状部（４ｃ）の前端部に径方向内方へ向けて一体成形されたフランジ部（４ｄ）とを有し、前記外周筒状部（４ａ）においてハウジング（２）の軸孔内周に金属嵌合され、前記平面部（４ｂ）をハウジング（２）の軸孔内周に形成した外周端面部（２ａ）に突き当てることによってハウジング（２）に対する軸方向取付位置を位置決めされ、前記内周筒状部（４ｃ）はハウジング（２）に遊挿され、前記フランジ部（４ｄ）の前端面に前記オイルシール（５）およびシール用突起（６）が接着されていることを特徴とする密封装置。
【発明の詳細な説明】
【０００１】
【発明の属する技術分野】
本発明は、密封装置に係り、更に詳しくは、オイルシールおよびスリッパシールよりなる二つのシール部を備えた密封装置に関するものである。
【０００２】
【従来の技術】
従来、ガソリン直噴ポンプなどに使用される高圧ガソリン用シールとして、０．３±０．１ＭＰａ程度まではフッ素ゴム製のオイルシールが用いられており、更に高圧条件になると、（１）高膨潤による強度低下に伴う疲労破壊、（２）極小油膜下での高速摺動に伴う摩耗などの問題から、ポリテトラフルオロエチレン（ＰＴＦＥ）製のスリッパシールがガソリン側シールとして用いられている。この場合、これらのシールの装着に関しては、オイル側のオイルシール用とガソリン側のスリッパシール用の合わせて二箇所のハウジング加工と二回に亙るシール装着作業とがポンプ組立工程において必要となる。
【０００３】
【発明が解決しようとする課題】
本発明は以上の点に鑑みて、オイルシールおよびスリッパシールよりなる二つのシール部を一体に備えており、もってハウジング加工を一箇所、シール装着作業を一回で済ませることができる密封装置を提供することを目的とする。
【０００４】
【課題を解決するための手段】
上記目的を達成するため、本発明の密封装置は、ハウジングの軸孔内周に金属嵌合される第一の取付環と、前記第一の取付環に取り付けられて軸の周面に摺動自在に密接するオイルシールと、前記第一の取付環に取り付けられて前記ハウジングの内周端面部に突き当てられて密接するシール用突起と、前記第一の取付環に金属嵌合された第二の取付環と、前記第一および第二の取付環間に保持されて前記軸の周面に摺動自在に密接するスリッパシールとを一体に組み合わせてなり、前記第一の取付環は、外周筒状部と、前記外周筒状部の前端部に径方向内方へ向けて一体成形された平面部と、前記平面部の内周縁部に前端側へ向けて一体成形された内周筒状部と、前記内周筒状部の前端部に径方向内方へ向けて一体成形されたフランジ部とを有し、前記外周筒状部においてハウジングの軸孔内周に金属嵌合され、前記平面部をハウジングの軸孔内周に形成した外周端面部に突き当てることによってハウジングに対する軸方向取付位置を位置決めされ、前記内周筒状部はハウジングに遊挿され、前記フランジ部の前端面に前記オイルシールおよびシール用突起が接着されていることを特徴とするものである。
【０００５】
上記構成を備えた本発明の密封装置においては、ハウジングの軸孔内周に金属嵌合される第一の取付環と、この第一の取付環に取り付けられて軸の周面に摺動自在に密接するオイルシールと、第一の取付環に金属嵌合された第二の取付環と、第一および第二の取付環間に保持されて軸の周面に摺動自在に密接するスリッパシールとが設けられてこれらが一体に組み合わされているために、オイルシールおよびスリッパシールよりなる二つのシール部を一体に備えた密封装置を実現することが可能となる。
【０００６】
また、金属製の第一の取付環が同じく金属製のハウジングに金属嵌合（金属材同士の嵌合）されるとともに同じく金属製の第二の取付環が第一の取付環に同じく金属嵌合されるために、耐ガソリンを考慮して膨潤する部分を少なく抑えることが可能となる。
【０００７】
また、第一の取付環に取り付けられてハウジングの端面部に突き当てられて密接するシール用突起が設けられているために、金属製の第一の取付環が同じく金属製のハウジングに金属嵌合されるものであっても、このシール用突起により第一の取付環およびハウジング間を有効にシールすることが可能となる。
【０００８】
上記構成を備えた本発明の密封装置は、ガソリン直噴ポンプの分野において使用され、また、ガソリン等のように膨潤大の燃料油をシールする機器の分野等において利用される。
【０００９】
尚、本件出願には、以下の技術的事項が含まれる。
【００１０】
すなわち、上記目的を達成するため、本件出願が提案する一の密封装置は以下の内容を備えている。
（１）オイルシールとスリッパシールとを一体としたことを特徴とする。
（２）オイルシールとスリッパシールとを一体とした構成において、外周シール機能および高圧下での固定機能を具備したことを特徴とする。
（３）オイル側オイルシールとガソリン側スリッパシールとを一体に組み合わせた直噴シールであることを特徴とする。
（４）また、オイル側オイルシールとガソリン側スリッパシールとを一体に組み合わせた直噴シールにおいて、外周シール機能および高圧下での固定機能を具備したことを特徴とする。
【００１１】
実施形態としては、以下のとおりである。
すなわち、第一の取付環にはオイル側オイルシールを焼き付け、外周シールの機能（端面のゴム突起）とシール固定の機能とを持たせるため、外周段付きの金属嵌合とする。また第一の取付環の内周側にはスリッパシールを組み込む。第二の取付環はスリッパシール固定用とし、第一の取付環に金属嵌合する。組み合わせシール自体がガソリン側より高圧を受けるため、これは第一の取付環のフランジ部で受ける構造とする。
【００１２】
第一の取付環を金属嵌合とすると、ゴム嵌合の場合よりも同芯度を向上させることができ、また耐ガソリンを考慮して膨潤する部分（ゴム部分）を少なく抑えることができる。ハウジングとの間はシール用突起によりシールする。また第一の取付環の外周に装着時にハウジングに突き当てる段部を設けるようにすると、その軸方向位置の調整によりシール用突起のつぶし代を調整することができる。
【００１３】
当該密封装置によれば、相手ハウジング構造の簡略化およびシール組込み工程の簡略化に寄与することができ、また現在別体となっているシール二つを固定するためのハウジング加工や構造部品の分割などが不要となり、二つのシールを装着する工程を一度で済ませることができる。
【００１４】
【発明の実施の形態】
つぎに本発明の実施例を図面にしたがって説明する。
【００１５】
図１は、本発明の実施例に係る密封装置１の装着状態の断面を示している。
【００１６】
当該実施例に係る密封装置１は、ガソリン直噴ポンプにおけるハウジング２および軸３間をシールするものであって、以下のように構成されている。
【００１７】
すなわち先ず、ハウジング２の軸孔内周に金属嵌合される第一の取付環４が設けられており、この第一の取付環４の前端部（図上右端部）に、軸３の周面に摺動自在に密接するオイル側オイルシール５と、ハウジング２の軸孔内周に予め形成した端面部に突き当てられて密接するシール用突起６とが固着されている。また、上記第一の取付環４の後端部（図上左端部）内周に第二の取付環７が金属嵌合されており、この第一および第二の取付環４，７に囲まれる環状の空間８内に軸３の周面に摺動自在に密接するガソリン側スリッパシール９と、このスリッパシール９をバックアップするバックアップリング１０とが保持されている。
【００１８】
上記第一の取付環４は、所定の金属材料により環状に成形されてその外周部に筒状部（外周筒状部）４ａを有しており、この外周筒状部４ａの前端部に径方向内方へ向けて環状の平面部４ｂが一体成形され、この平面部４ｂの内周縁部に前端側へ向けて比較的小径の筒状部（内周筒状部）４ｃが一体成形され、この内周筒状部４ｃの前端部に径方向内方へ向けて環状のフランジ部４ｄが一体成形されている。またこの第一の取付環４は、外周筒状部４ａにおいてハウジング２の軸孔内周に所定の嵌合代をもって金属嵌合されるとともに、装着作業時に平面部４ｂをハウジング２の軸孔内周に予め形成した環状の端面部（外周端面部）２ａに対して軸方向に突き当てることによってハウジング２に対する軸方向取付位置を位置決めされるように構成されている。これに対して内周筒状部４ｃはハウジング２に遊挿されており、この筒状部４ｃとハウジング２との間には径方向間隙１１が形成されている。
【００１９】
上記オイルシール５は、所定のゴム状弾性体により環状に成形されるとともに上記第一の取付環４におけるフランジ部４ｄの前端面に前端側へ向けて焼付接着されており、軸３の周面に摺動自在に密接するシールリップ５ａを有している。シールリップ５ａの内周面には、軸３の周面に摺動自在に密接する環状の主シール部５ｂおよび副シール部５ｃが軸方向に並んで設けられており、シールリップ５ａの外周面にはガータースプリング１２が嵌着されている。
【００２０】
上記シール用突起６は、所定のゴム状弾性体により環状に成形されるとともにオイルシール５の外周側において第一の取付環４におけるフランジ部４ｄの前端面に前端側へ向けて焼付接着されており、ハウジング２の軸孔内周に予め形成した環状の端面部（内周端面部）２ｂに突き当てられることによってハウジング２との間をシールする。またこのシール突起６は、その内周側に設けた連結部１３を介してオイルシール５と一体に成形されており、このようにオイルシール５およびシール突起６が一体に成形される場合には、両者５，６が同一種類のゴム材料により成形されている。
【００２１】
上記第二の取付環７は、所定の金属材料により環状に成形されてその外周部に筒状部７ａを有しており、この筒状部７ａの前端部に径方向内方へ向けて環状のフランジ部７ｂが一体成形されている。またこの第二の取付環７は、筒状部７ａにおいて第一の取付環４における外周筒状部４ａの内周側に所定の嵌合代をもって金属嵌合されるとともに、装着に先立つ予めの組立時にフランジ部７ｂを第一の取付環４における平面部４ｂに対して軸方向に突き当てることによって第一の金属環４に対する軸方向取付位置を位置決めされている。
【００２２】
上記スリッパシール９は、ＰＴＦＥ等の所定の樹脂材料により環状に成形されており、その外径寸法を第一および第二の取付環４，７における各フランジ部４ｄ，７ｂの内径寸法よりも大きく形成されることにより上記空間８内に保持されている。このスリッパシール９は断面略矩形状に成形され、その内周面に、軸３の周面に摺動自在に密接する筒状の摺動面９ａが設けられている。
【００２３】
また、上記バックアップリング１０は、所定のゴム状弾性体により環状に成形され、その断面形状を略円形に形成されており、上記スリッパシール９をその外周側からバックアップする。
【００２４】
また、上記ハウジング２は所定の金属材料により成形されており、その軸孔内周に上記端面部２ａ，２ｂを段差状に有している。
【００２５】
上記構成の密封装置１は、上記したようにガソリン直噴ポンプにおけるハウジング２および軸３間においてガソリンおよびオイルをシールするものであって、上記構成により以下の作用効果を奏する点に特徴を有している。
【００２６】
すなわち先ず第一に、上記構成の密封装置１においては、ハウジング２の軸孔内周に金属嵌合される第一の取付環４と、この第一の取付環４の前端部に焼付接着されて軸３の周面に摺動自在に密接するオイル用オイルシール５と、第一の取付環４の後端部内周に金属嵌合された第二の取付環７と、第一および第二の取付環４，７間の空間８内に保持されて軸３の周面に摺動自在に密接するガソリン用スリッパシール９とが設けられてこれらが一体に組み合わされているために、オイル用オイルシール５およびガソリン用スリッパシール９よりなる二つのシール部を一体に備えた密封装置１が構成されている。したがって、ハウジング２の加工を一箇所で済ませるとともにシール装着作業を一回で済ませることができる。
【００２７】
また、第一の取付環４がハウジング２の軸孔内周に金属嵌合されるとともに第二の取付環７が第一の取付環４の後端部内周に同じく金属嵌合されるために、耐ガソリンを考慮して膨潤する部分を少なく抑えることが可能とされている。したがって、耐ガソリン性およびこれに伴う耐久性を向上させることができる。
【００２８】
また、第一の取付環４の前端部に焼付接着されてハウジング２の端面部２ｂに突き当てられて密接するシール用突起６が設けられているために、第一の取付環４がハウジング２の軸孔内周に金属嵌合されるものであっても、このシール用突起６により第一の取付環４およびハウジング２間を有効にシールすることが可能とされている。したがって、上記耐ガソリン性および耐久性に加えてシール性を向上させることができる。
【００２９】
また、第一の取付環４を製作するときに、その内周側筒状部４ｃの軸方向長さを調整することによりフランジ部４ｄとハウジング２の端面部２ｂとの軸方向間隔を調整することができるために、シール用突起６のつぶし代の大きさを容易に調整することができる。したがって、シール用突起６のつぶし代の大きさを必要に応じて容易に調整することができる。
【００３０】
【発明の効果】
本発明は、以下の効果を奏する。
【００３１】
すなわち、上記構成を備えた本発明の密封装置においては、ハウジングの軸孔内周に金属嵌合される第一の取付環と、第一の取付環に取り付けられて軸の周面に摺動自在に密接するオイルシールと、第一の取付環に金属嵌合された第二の取付環と、第一および第二の取付環間に保持されて軸の周面に摺動自在に密接するスリッパシールとが設けられてこれらが一体に組み合わされているために、オイルシールおよびスリッパシールよりなる二つのシール部を一体に備えた密封装置が構成されている。したがって、ハウジング加工を一箇所で済ませるとともにシール装着作業を一回で済ませることができ、ハウジンク加工性およびシール装着作業性に優れた密封装置を提供することができる。
【００３２】
また、第一の取付環がハウジングに金属嵌合されるとともに第二の取付環が第一の取付環に同じく金属嵌合されるために、耐ガソリンを考慮して膨潤する部分を少なく抑えることが可能とされている。したがって、耐ガソリン性およびこれに伴う耐久性に優れた密封装置を提供することができる。
【００３３】
また、第一の取付環に取り付けられてハウジングの端面部に突き当てられて密接するシール用突起が設けられているために、第一の取付環がハウジングに金属嵌合されるものであっても、このシール用突起により第一の取付環およびハウジング間を有効にシールすることが可能とされている。したがって、上記耐ガソリン性および耐久性に加えてシール性に優れた密封装置を提供することができる。
【図面の簡単な説明】
【図１】本発明の実施例に係る密封装置の装着状態を示す半裁断面図
【符号の説明】
１  密封装置
２  ハウジング
２ａ，２ｂ  端面部
３  軸
４  第一の取付環
４ａ，４ｃ，７ａ  筒状部
４ｂ  平面部
４ｄ，７ｂ  フランジ部
５  オイルシール
５ａ  シールリップ
５ｂ  主シール部
５ｃ  副シール部
６  シール用突起
７  第二の取付環
８  空間
９  スリッパシール
９ａ  摺動面
１０  バックアップリング
１１  間隙
１２  ガータースプリング
１３  連結部
【図１】
0004092547.tif 000002